(57)【要約】【課題】タッチパネルの表示面に表示される操作ボタンの表示位置をユーザが好みに応じて容易に変更することができる、操作装置および電子機器を提供する。【解決手段】配置順保持部４０１は、タッチパネルの表示面における各操作ボタンの配置順情報を保持する。操作認識部４０２は、タッチパネルの表示面における一連の押圧位置の変動を示す変動情報と、当該一連の押圧位置の変動に対応する操作ボタンとを含む入力内容を認識する。判定部４０３は、操作認識部４０２により認識された変動情報が、予め登録された動作条件と一致するか否かを判定する。配置順変更部４０４は、判定部４０３により一致すると判定された場合、操作認識部４０２により認識された操作ボタンの配置順に対して判定部４０３が一致すると判定した動作条件に対応する順序変更を実施する。【選択図】図４
2014048676.tif 000002
【特許請求の範囲】
【請求項１】
表示面に複数の操作ボタンを表示するとともに、当該表示面における押圧位置を検出するタッチパネルと、
前記表示面における前記各操作ボタンの配置順情報を保持する配置順保持部と、
前記表示面における一連の押圧位置の変動を示す変動情報と、当該一連の押圧位置の変動に対応する操作ボタンとを含む入力内容を認識する操作認識部と、
前記操作認識部により認識された前記変動情報が、予め登録された動作条件と一致するか否かを判定する判定部と、
前記判定部により一致すると判定された場合、前記配置順保持部に保持された配置順情報を、前記操作認識部により認識された操作ボタンの配置順に対して、前記判定部が一致すると判定した動作条件に対応する順序変更を実施した配置順情報に変更する、配置順変更部と、
を備える操作装置。
【請求項２】
前記複数の操作ボタンが複数ページにわたって配置されている場合、前記配置順変更部は、前記順序変更において、前記操作認識部により認識された操作ボタン以外に他のページに操作ボタンを移動させる必要があるときに、当該他のページに移動させる操作ボタンの選択をユーザに要求する、請求項１記載の操作装置。
【請求項３】
前記配置順保持部は、前記複数の操作ボタンのうち配置位置を固定する操作ボタンを特定する固定ボタン情報をさらに保持し、前記配置順変更部が当該固定ボタン情報に対応する操作ボタンを除いて前記順序変更を実施する、請求項１または２記載の操作装置。
【請求項４】
請求項１から３のいずれか１項に記載の操作装置を備える、電子機器。
【発明の詳細な説明】
【技術分野】
【０００１】
本発明は、操作装置およびその操作装置を備える電子機器に関する。
【背景技術】
【０００２】
近年、オフィス等において、スキャナ、ファクシミリ、プリンタ、複写機等の機能を備える複合機（ＭＦＰ：Multi Function Peripheral）が使用されている。複合機は、例えば、ＬＡＮ（Local Area Network）等のネットワークを通じてパーソナルコンピュータ等の情報処理端末と接続された状況で使用されることが多い。そして、情報処理端末から入力された画像データを用紙上に印刷する画像形成装置として機能したり、情報処理端末において使用される画像データを取得する画像読取装置として機能したり、文書画像データを検索可能に蓄積する文書管理装置として機能したりする。
【０００３】
このような多様な機能を備える複合機に対するユーザの指示は、例えば、複合機が備える操作装置を介して入力される。このような操作装置の一例として、タッチパネルを備える操作装置が広く知られている。周知のように、タッチパネルは、表示装置の機能と入力装置の機能とを具備し、操作ボタンを表示するとともに、表示面に配置されたセンサ等により押圧位置（タッチ位置）を検出する。この表示面には、複合機が備える各機能に応じた種々の操作ボタンを表示させることが可能であり、ユーザは、タッチパネルに表示された操作ボタンを適宜操作することで複合機の多様な機能のそれぞれを実行することができる。また、このようなタッチパネルでは、操作ボタンが複数のページにわたって配置されるため、所望の操作ボタンを表示面に表示させるために表示面に表示された操作ボタンを押圧する必要がある。このような操作は煩雑であるため、使用頻度の高い操作ボタン（例えば、テンキーや複写開始キー等）がハードキーとしてタッチパネルに併設された操作装置が広く採用されている。
【０００４】
以上のような操作装置に対しては、ユーザの使用利便性を向上させるための種々の技術が提案されている（例えば、特許文献１〜４参照。）。
【０００５】
例えば、特許文献１は、ユーザの任意で操作入力ボタンの機能割り当てを変更することができる操作表示装置を開示している。この操作表示装置では、ハードキーにより構成された機能設定ボタンに、タッチパネルに表示される操作ボタンにより実行される機能をユーザの任意で割り当てることができる。
【０００６】
特許文献２は、タッチパネルの押圧面において特定の領域（よく使用する操作ボタンが表示される領域）の劣化進行を防止するため、押下回数が予め指定された回数を超えたときに、その操作ボタンの表示位置を他の操作ボタンの表示位置と入れ替える通信装置を開示している。この通信装置では、表示位置の入れ替えが繰り返し実施されることに伴ってユーザの使用利便性が低下することを防止するため、レイアウトが変更されたタッチパネルにおいて、操作ボタンを予め指定された順で強調表示する構成になっている。
【０００７】
特許文献３は、複数のページにわたって配置される操作ボタンの、各ページにおける表示位置やサイズを変更することができる画像形成装置を開示している。
【０００８】
特許文献４は、キー操作履歴に基づいて各キーの評価値を導出し、ユーザがレイアウト変更手段の動作を起動させているときは、評価値にしたがってキーのレイアウトを変更する操作入力装置を開示している。
【先行技術文献】
【特許文献】
【０００９】
【特許文献１】特開２００５−３２２０２６号公報
【特許文献２】特開２０１０−２１９９９０号公報
【特許文献３】特開２００５−０４５３７０号公報
【特許文献４】特開２００５−２５４６２４号公報
【発明の概要】
【発明が解決しようとする課題】
【００１０】
近年、複合機の多機能化はますます進行しており、特許文献１が開示するような固定数のハードキーへの機能割り当てでは、割り当て可能な機能数が十分でない状況が発生し得る。その対策として、タッチパネルに表示される特定のページに、機能を割り当てた操作ボタン（例えば、ショートカットキー等）を配置することが考えられる。このようにソフトキーに機能割り当てをすることで、機能を割り当てた操作ボタンを複数ページにわたって配置することも可能になり、割り当て可能な機能数の制限をなくすことができる。
【００１１】
ユーザの利便性向上の観点では、このような機能を割り当てた操作ボタンは、ユーザの好みに応じてその表示位置を任意かつ容易に変更できることが好ましい。上述の特許文献３が開示する技術を適用することで、同一ページにおける表示位置の変更は可能とも思えるが、複数のページにわたって操作ボタンが配置されている場合に異なるページ間で操作ボタンを移動させることは困難である。また、特許文献３が開示する技術では、ユーザは位置変更のために設定項目の一覧を表示して所望の項目を変更する必要があり、ユーザにとって容易な操作とはいえない。
【００１２】
例えば、操作ボタンを周知のドラッグ操作等により移動させる構成を採用すれば、ユーザは直観的な操作で位置を変更することが可能になる。しかしながら、当該手法によっても、特別の工夫をしなければ、異なるページ間で操作ボタンを移動させることは困難である。
【００１３】
このような問題は、上述の特許文献１、２、４が開示する技術を適用しても解決することはできない。
【００１４】
本発明は、このような従来技術の課題を鑑みてなされたものであり、タッチパネルの表示面に表示される操作ボタンの表示位置をユーザが好みに応じて容易に変更することができる、操作装置および電子機器を提供することを目的とする。
【課題を解決するための手段】
【００１５】
上述の目的を達成するために、本発明に係る操作装置は、以下の技術的手段を採用している。すなわち、本発明に係る操作装置は、タッチパネル、配置順保持部、操作認識部、判定部および配置順変更部を備える。タッチパネルは、表示面に複数の操作ボタンを表示するとともに、当該表示面における押圧位置を検出する。配置順保持部は、タッチパネルの表示面における各操作ボタンの配置順情報を保持する。操作認識部は、タッチパネルの表示面における一連の押圧位置の変動を示す変動情報と、当該一連の押圧位置の変動に対応する操作ボタンとを含む入力内容を認識する。判定部は、操作認識部により認識された変動情報が、予め登録された動作条件と一致するか否かを判定する。配置順変更部は、判定部により一致すると判定された場合、配置順保持部に保持された配置順情報を、操作認識部により認識された操作ボタンの配置順に対して、判定部が一致すると判定した動作条件に対応する順序変更を実施した配置順情報に変更する。
【００１６】
この操作装置では、ユーザがタッチパネルの表示面に対して、押圧状態で押圧位置を変動させる操作をすると、操作認識部がその入力内容を認識する。当該入力内容は、操作の変動情報と一連の押圧位置の変動により指定された操作ボタンとを含む。例えば、ユーザがタッチパネルに対して特定の操作ボタンを囲むように丸印を描いた場合、操作認識部は、変動情報として丸印、およびその丸印で囲まれた操作ボタンを入力内容として認識する。このとき、動作条件として「丸印」が登録されており、当該動作条件に対応する順序変更として「先頭に移動」が登録されていると、配置順変更部は、配置順保持部に保持された配置順情報において、丸印で囲まれた操作ボタンを先頭に移動させる順序変更を実施する。したがって、ユーザは、非常に簡単な操作により、タッチパネルの表示面に表示される操作ボタンの表示位置を好みに応じて変更することができる。
【００１７】
上記操作装置において、配置順変更部は、上記複数の操作ボタンが複数ページにわたって配置されている場合、上述の順序変更において、操作認識部により認識された操作ボタン以外に他のページに操作ボタンを移動させる必要があるときに、当該他のページに移動させる操作ボタンの選択をユーザに要求する構成を採用することができる。これにより、指定した操作ボタンの移動により、他の操作ボタンを他のページへ移動させる必要性が生じたときに、ユーザは当該他の操作ボタンも好みに応じて移動させることが可能になる。
【００１８】
また、上記操作装置において、配置順保持部が上記複数の操作ボタンのうち配置位置を固定する操作ボタンを特定する固定ボタン情報をさらに保持する構成を採用することができる。この構成では、配置順変更部は当該固定ボタン情報に対応する操作ボタンを除いて上述の順序変更を実施する。これにより、指定した操作ボタンの移動に応じて、ユーザが移動を望まない操作ボタンが移動することを防止できる。
【００１９】
一方、他の観点では、本発明は、上述の操作装置を備える電子機器を提供することができる。
【発明の効果】
【００２０】
本発明によれば、タッチパネルの表示面に表示される操作ボタンの表示位置をユーザが好みに応じて容易に変更することができる。
【図面の簡単な説明】
【００２１】
【図１】本発明の一実施形態における複合機の全体構成を示す概略構成図
【図２】本発明の一実施形態における複合機の操作パネルを示す模式図
【図３】本発明の一実施形態における複合機のハードウェア構成を示す図
【図４】本発明の一実施形態における複合機を示す機能ブロック図
【図５】本発明の一実施形態における複合機が実施する操作ボタン配置順変更手順の一例を示すフロー図
【図６】本発明の一実施形態における複合機が表示するユーザメニューページの一例を示す図
【図７】本発明の一実施形態における複合機が保持するボタン配置順テーブルの一例を示す図
【図８】本発明の一実施形態における複合機が表示するユーザメニューページの一例を示す図
【図９】本発明の一実施形態における複合機が保持する順序変更テーブルの一例を示す図
【図１０】本発明の一実施形態における複合機が表示するユーザメニューページの一例を示す図
【図１１】本発明の一実施形態における複合機が保持するボタン配置順テーブルの一例を示す図
【図１２】本発明の一実施形態における複合機が表示するユーザメニューページの一例を示す図
【図１３】本発明の一実施形態における複合機が表示するユーザメニューページの一例を示す図
【図１４】本発明の一実施形態における複合機が表示するユーザメニューページの一例を示す図
【図１５】本発明の一実施形態における複合機が保持するボタン配置順テーブルの一例を示す図
【図１６】本発明の一実施形態における複合機が表示するユーザメニューページの一例を示す図
【図１７】本発明の一実施形態における複合機が表示するユーザメニューページの一例を示す図
【図１８】本発明の一実施形態における複合機が表示する選択画面の一例を示す図
【図１９】本発明の一実施形態における複合機が保持するボタン配置順テーブルの一例を示す図
【図２０】本発明の一実施形態における複合機が表示するユーザメニューページの一例を示す図
【図２１】本発明の一実施形態における複合機が表示するユーザメニューページの一例を示す図
【図２２】本発明の一実施形態における複合機が表示するユーザメニューページの一例を示す図
【図２３】本発明の一実施形態における複合機が表示するユーザメニューページの一例を示す図
【図２４】本発明の一実施形態における複合機が保持するボタン配置順テーブルの一例を示す図
【図２５】本発明の一実施形態における複合機が表示するユーザメニューページの一例を示す図
【図２６】本発明の一実施形態における複合機が表示するユーザメニューページの一例を示す図
【発明を実施するための形態】
【００２２】
以下、本発明の一実施形態について、図面を参照しながらより詳細に説明する。以下では、デジタル複合機として本発明を具体化する。
【００２３】
図１は本実施形態におけるデジタル複合機の全体構成の一例を示す概略構成図である。図１に示すように、複合機１００は、画像読取部１２０および画像形成部１４０を含む本体１０１と、本体１０１の上方に取り付けられたプラテンカバー１０２とを備える。本体１０１の上面には原稿台１０３が設けられており、原稿台１０３はプラテンカバー１０２によって開閉されるようになっている。また、プラテンカバー１０２は、原稿搬送装置１１０を備えている。
【００２４】
原稿台１０３の下方には、画像読取部１２０が設けられている。画像読取部１２０は、走査光学系１２１により原稿の画像を読み取りその画像のデジタルデータ（画像データ）を生成する。原稿は、原稿台１０３や原稿搬送装置１１０に載置することができる。走査光学系１２１は、第１キャリッジ１２２や第２キャリッジ１２３、集光レンズ１２４を備える。第１キャリッジ１２２には線状の光源１３１およびミラー１３２が設けられ、第２キャリッジ１２３にはミラー１３３および１３４が設けられている。光源１３１は原稿を照明する。ミラー１３２、１３３、１３４は、原稿からの反射光を集光レンズ１２４に導き、集光レンズ１２４はその光像をラインイメージセンサ１２５の受光面に結像する。この走査光学系１２１において、第１キャリッジ１２２および第２キャリッジ１２３は、副走査方向１３５に往復動可能に設けられている。第１キャリッジ１２２および第２キャリッジ１２３を副走査方向１３５に移動することによって、原稿台１０３に載置された原稿の画像をイメージセンサ１２５で読み取ることができる。原稿搬送装置１１０にセットされた原稿の画像を読み取る場合、画像読取部１２０は、第１キャリッジ１２２および第２キャリッジ１２３を画像読取位置に合わせて一時的に固定し、画像読取位置を通過する原稿の画像をイメージセンサ１２５で読み取る。イメージセンサ１２５は、受光面に入射した光像から、例えば、Ｒ（レッド）、Ｇ（グリーン）、Ｂ（ブルー）の各色に対応する原稿の画像データを生成する。生成された画像データは、画像形成部１４０において用紙に印刷することができる。また、ネットワークインターフェイス１６１によりネットワーク１６２を通じて他の機器（図示せず）へ送信することもできる。
【００２５】
画像形成部１４０は、画像読取部１２０で得た画像データや、ネットワーク１６２に接続された他の機器から受信した画像データを用紙に印刷する。画像形成部１４０は、感光体ドラム１４１を備える。感光体ドラム１４１は一定速度で一方向に回転する。感光体ドラム１４１の周囲には、回転方向の上流側から順に、帯電器１４２、露光器１４３、現像器１４４、中間転写ベルト１４５が配置されている。帯電器１４２は、感光体ドラム１４１表面を一様に帯電させる。露光器１４３は、一様に帯電した感光体ドラム１４１の表面に、画像データに応じて光を照射し、感光体ドラム１４１上に静電潜像を形成する。現像器１４４は、その静電潜像にトナーを付着させ、感光体ドラム１４１上にトナー像を形成する。中間転写ベルト１４５は、感光体ドラム１４１上のトナー像を用紙に転写する。画像データがカラー画像である場合、中間転写ベルト１４５は、各色のトナー像を同一の用紙に転写する。なお、ＲＧＢ形式のカラー画像は、Ｃ（シアン）、Ｍ（マゼンタ）、Ｙ（イエロー）、Ｋ（ブラック）形式の画像データに変換され、各色の画像データが露光器１４３に入力される。
【００２６】
画像形成部１４０は、手差しトレイ１５１、給紙カセット１５２、１５３、１５４等から、中間転写ベルト１４５と転写ローラ１４６との間の転写部に用紙を給送する。手差しトレイ１５１や各給紙カセット１５２、１５３、１５４には、様々なサイズの用紙を載置または収容することができる。画像形成部１４０は、ユーザの指定した用紙や、自動検知した原稿のサイズに応じた用紙を選択し、選択した用紙を給送ローラ１５５により手差しトレイ１５１やカセット１５２、１５３、１５４から給紙する。給紙された用紙は搬送ローラ１５６やレジストローラ１５７で転写部に搬送する。トナー像を転写した用紙は、搬送ベルト１４７により定着器１４８に搬送される。定着器１４８は、ヒータを内蔵した定着ローラ１５８および加圧ローラ１５９を有しており、熱と押圧力によってトナー像を用紙に定着する。画像形成部１４０は、定着器１４８を通過した用紙を排紙トレイ１４９へ排紙する。
【００２７】
図２は複合機が備える操作パネルの外観の一例を示す図である。ユーザは、操作パネル２００を用いて、複合機１００に複写開始やその他の指示を与えたり、複合機１００の状態や設定を確認したりすることができる。操作パネル２００には、タッチパネル付きディスプレイ２０１や操作キー２０３が配置されている。ディスプレイ２０１は、操作ボタンやメッセージ等を表示する液晶ディスプレイ等からなる表示面と、当該表示面上の押圧位置を検出するセンサとを備える。押圧位置の検知方法は特に限定されない。抵抗膜方式、静電容量方式、表面弾性波方式、電磁波方式等、任意の方式を採用することができる。ユーザは、自身の指やタッチペン２０２を使用して、ディスプレイ２０１を通じて入力を行うことができる。
【００２８】
ディスプレイ２０１は、ボタン表示部２０４、メッセージ表示部２０５およびステータス表示部２０６を有する操作画面を表示する。ボタン表示部２０４には、複数のタブ２０８が用意されており、各タブにはそのタブのカテゴリーに応じた操作ボタンが配列されている。「簡単設定」タブは、基本的な設定に使用される操作ボタンを有する。図２の例では、用紙サイズ、複写倍率、濃度、印刷面、ページ集約、後処理を設定するための操作ボタンが配列されている。例えば「濃度」ボタン２０７を押圧する操作をユーザが行うと、濃度を選択するための「薄い」、「ふつう」、「濃い」等の選択ボタンを有するポップアップ画面がその操作ボタン上に重ねて表示され、ユーザの選択（押圧）によりその濃度が設定される。図２の例では、「簡単設定」タブの他、「原稿／用紙／仕上げ」タブ、「カラー／画質」タブ、「レイアウト／編集」タブ、「応用／その他」タブも設けられている。ユーザは、タブボタン２０８を選択する操作を行うことによって、これらのタブの表示に切り替えることができる。一つのタブが選択されている間、操作画面上で他のタブやその要素は隠れている。
【００２９】
メッセージ表示部２０５には、複写が可能か否か、複写部数などの設定をユーザに通知するメッセージが表示される。なお、本実施形態の複合機１００は、複合機１００を使用する場合に、ユーザ（操作者）の利用資格を確認するユーザ認証処理（ログイン処理）が実施される構成になっている。図２は、当該ユーザ認証処理が実施される前の状態を示しており、メッセージ表示部２０５に、ユーザ認証情報の入力を要求する「認証情報を入力してください」のメッセージが表示されている。ここでは、ユーザは、ソフトウェアキーボード表示ボタン２０９を選択（押圧）することでディスプレイ２０１に表示されるソフトウェアキーボードを用いてユーザ認証情報を入力する。
【００３０】
ステータス表示部２０６には、必要に応じて装置ステータス情報が表示される。この表示には、複合機１００が備える各種センサの検知結果が反映される。装置ステータス情報とは、装置は動作可能な状態にあるが、異常への対応を促す警告をユーザに通知するメッセージを意味する。例えば、用紙残量が少ない旨、原稿台１０３が汚れている旨、ファクシミリのメモリ受信が設定されている場合にファックス文書がメモリに格納された旨等が含まれる。また、用紙切れや搬送ジャム等が装置ステータス情報に含まれてもよい。
【００３１】
操作キー２０３は、テンキー２１０やスタートキー２１１、クリアキー２１２、ＬｏｇＯｕｔキー２１３、主電源キー２１４等を含む。例えば、テンキー２１０は、複写部数の指定や複写倍率の設定に用いることができる。ユーザがそれらの設定をすると、複合機１００は、メッセージ表示部２０５に、例えば、「コピーできます（設定あり）」のようなメッセージを表示し、ユーザによる設定が行われたことを通知する。スタートキー２１１は、複写や画像印刷の開始指示に使用される。ユーザは、自身でした設定を解除する場合、クリアキー２１２を操作する。ユーザによる設定を機械が受け付けているかどうかは上述のメッセージで判断することができるので、その設定が不要になればクリアキー２１２を操作すればよい。主電源キー２１４は、複合機１００の主電源のＯＮ、ＯＦＦの切り替えに使用される。特に限定されないが、本実施形態では、上述のユーザ認証処理によりユーザの利用資格が確認されるまで、当該認証に関する情報の入力を除き、操作パネル２００を通じた操作が禁止される構成になっている。認証されたユーザが複合機使用後にＬｏｇＯｕｔキー２１３を押下する、あるいは、操作パネル２００に対する操作および画像読取部１２０や画像形成部１４０の動作がない時間が認証後に所定時間継続すると、複合機１００は認証処理が実施される前の状態に戻るように構成されている。
【００３２】
図３は、複合機における制御系のハードウェア構成図である。本実施形態の複合機１００は、ＣＰＵ（Central Processing Unit）３０１、ＲＡＭ（Random Access Memory）３０２、ＲＯＭ（Read Only Memory）３０３、ＨＤＤ（Hard Disk Drive）３０４および原稿搬送装置１１０、画像読取部１２０、画像形成部１４０における各駆動部に対応するドライバ３０５が内部バス３０６を介して接続されている。ＲＯＭ３０３やＨＤＤ３０４等はプログラムを格納しており、ＣＰＵ３０１はその制御プログラムの指令にしたがって複合機１００を制御する。例えば、ＣＰＵ３０１はＲＡＭ３０２を作業領域として利用し、ドライバ３０５とデータや命令を授受することにより上記各駆動部の動作を制御する。また、ＨＤＤ３０４は、画像読取部１２０により得られた画像データや、他の機器からネットワークインターフェイス１６１を通じて受信した画像データの蓄積にも用いられる。
【００３３】
内部バス３０６には、操作パネル２００やネットワークインターフェイス１６１、各種のセンサ３０７も接続されている。操作パネル２００は、ユーザの操作を受け付け、その操作に基づく信号をＣＰＵ３０１に供給する。操作パネル２００のディスプレイ２０１は、ＣＰＵ３０１からの制御信号にしたがって上述の操作画面を表示する。センサ３０７は、プラテンカバー１０２の開閉検知センサや原稿台１０３上の原稿検知センサ、定着器１４８の温度センサ、搬送される用紙または原稿の検知センサなど各種のセンサを含む。
【００３４】
ＣＰＵ３０１は、例えばＲＯＭ３０３に格納されたプログラムを実行することで、以下の各手段（機能ブロック）を実現するとともに、これらセンサからの信号に応じて各手段の動作を制御する。
【００３５】
図４は、本実施形態の複合機の機能ブロック図である。図４に示すように、本実施形態の複合機１００は、配置順保持部４０１、操作認識部４０２、判定部４０３および配置順変更部４０４を備える。特に限定されないが、以下では、機能を割り当てたショートカットキー等の操作ボタンがディスプレイ２０１に表示される特定のページ（以下、ユーザメニューページという。）に配置されており、当該ユーザメニューページにおける操作ボタンの配置順を変更する事例について説明する。また、以下の例では、操作ボタンの形状およびサイズは固定であり、ユーザメニューページには１ページあたり８個の操作ボタンが当該ページ内の予め指定された位置に配置される構成になっている。
【００３６】
配置順保持部４０１は、ディスプレイ２０１（タッチパネル）の表示面における各操作ボタンの配置順情報を保持する。特に限定されないが、ここでは、配置順保持部４０１は、配置順情報をボタン配置順テーブルとして保持している。後述するように、ボタン配置順テーブルは、ユーザメニューページにおいて操作ボタンが配置される位置を示す情報と、当該位置に割り当てられる機能を示す情報とを対応づけて格納している。
【００３７】
操作認識部４０２は、操作パネル２００における、操作キー２０３の押下およびディスプレイ２０１の押圧を認識し、ユーザの操作内容を認識する。また、操作認識部４０２は、表示制御部４０５を通じて、ディスプレイ２０１の表示面に複数の操作ボタンを備える上述の各種操作画面を表示する。本実施形態では、ディスプレイ２０１の押圧位置を検出するセンサにより検出された押圧位置の座標が操作認識部４０２に入力され、操作認識部４０２が、自身が保持する操作ボタン等の画面要素の座標と入力された押圧位置の座標とに基づいてディスプレイ２０１に対するユーザの操作内容を認識する。操作認識部４０２により認識された操作は、認証部４０６、判定部４０３または動作制御部４０７に入力される。
【００３８】
本実施形態では、操作認識部４０２は、押圧位置変動情報認識部４１１および対象操作ボタン認識部４１２を含み、ディスプレイ２０１の表示面における一連の押圧位置の変動を示す変動情報と、当該一連の押圧位置の変動に対応する操作ボタンとを含む入力内容を認識する。
【００３９】
一連の押圧位置の変動とは、押圧状態を維持したまま（すなわち、表示面から離脱させることなく）押圧位置を変動させる操作を意味する。つまり、押圧を開始してから押圧を解消するまでが一連の押圧位置の変動になる。例えば、押圧状態を維持したまま、丸、三角形、四角形、チェック印や、Ｃ、Ｕ、Ｗ等の一筆書きで描くことができる図形や文字（以下、図形等という。）をディスプレイ２０１の表示面に描く操作が一連の押圧位置の変動に含まれる。
【００４０】
また、一連の押圧位置の変動に対応する操作ボタンとは、一連の押圧位置の変動により描かれた図形等に基づいて特定される操作ボタンを意味する。例えば、押圧状態を維持したままで描かれた図形の内側に存在する操作ボタンや、当該図形が重なりを有する操作ボタンが一連の押圧位置の変動に対応する操作ボタンに含まれる。
【００４１】
押圧位置変動情報認識部４１１は、ユーザが押圧を開始した位置（以下、押圧始点という。）を始点とした、ディスプレイ２０１の表示面における押圧位置の変動情報を認識する。また、対象操作ボタン認識部４１２は、押圧位置変動情報認識部４１１が認識した変動情報に基づいて、当該変動情報のディスプレイ２０１上における座標と、ディスプレイ２０１の表示面に表示されている操作ボタンのディスプレイ２０１上における座標とに基づいて一連の押圧位置の変動に対応する操作ボタンを特定する。
【００４２】
判定部４０３は、操作認識部４０２（押圧位置変動情報認識部４１１）により認識された変動情報が予め登録された動作条件と一致するか否かを判定する。判定部４０３には、動作条件である一筆書きにより描くことができる上述の図形等と順序変更方法とが対応づけて格納されている。特に限定されないが、ここでは、判定部４０３は、これらの情報を順序変更テーブルとして保持している。後述するように、順序変更テーブルは、動作条件である図形等と「先頭に移動」、「最後尾に移動」等の順序変更方法とを対応づけて格納している。
【００４３】
配置順変更部４０４は、判定部４０３により一致すると判定された場合、配置順保持部４０１に保持された配置順情報を変更する。当該順序変更は、判定部４０３が一致すると判定した動作条件に対応する順序変更方法にしたがう順序変更であり、操作認識部４０２により認識された操作ボタンの配置順（配置順保持部４０１に保持された配置順情報）に対して実施される。
【００４４】
表示制御部４０５は、上述のユーザメニューページを表示する場合、配置順保持部４０１に保持された配置順情報にしたがって各操作ボタンをディスプレイ２０１の表示面に表示する。
【００４５】
認証部４０６は、操作パネル２００を通じて入力されたユーザ認証情報が、予め登録された認証条件を満足するか否かを判定することで上述のユーザ認証を実行する。本実施形態では、上述のように、ユーザは、ディスプレイ２０１に表示されるソフトウェアキーボードを用いてユーザ認証情報を入力する。本実施形態では、各ユーザに一義的に割り当てられたユーザＩＤと、当該ユーザＩＤに対応づけられたパスワードをユーザ認証情報として使用している。ユーザＩＤは、ユーザを特定することができる情報であればよく、ここではソフトウェアキーボードにより入力可能な文字や記号等からなる情報によって構成されている。また、パスワードもソフトウェアキーボードにより入力可能な文字や記号等からなる情報によって構成されている。
【００４６】
本実施形態では、認証部４０６に、複合機１００の使用を許可するユーザのユーザＩＤと当該ユーザＩＤと対応づけられたパスワードを記録した使用許可者リストが予め登録されている。操作認識部４０２に認識されたユーザＩＤおよびパスワードが使用許可者リストに含まれている場合、認証部４０６はユーザ認証条件を満足すると判断する。認証部４０６は、ユーザ認証条件を満足する場合に、そのユーザによる複合機１００の使用（画像読取部１２０における画像データの生成、画像形成部１４０における画像データの印刷等）を許可し、ユーザ認証条件を満足しない場合に、そのユーザによる複合機１００の使用を禁止する。なお、本実施形態では、複合機１００における各種処理は、操作認識部４０２が認識したユーザの指示に基づいて、動作制御部４０７が実行するよう構成されており、認証部４０６は動作制御部４０７の動作制限を解除することで各種処理を実現する。
【００４７】
動作制御部４０７は、操作認識部４０２が認識した操作パネル２００を通じたユーザの指示に基づいて画像読取部１２０における画像データの生成、画像形成部１４０における画像データの印刷等を実行する。
【００４８】
図５は、複合機１００が実施する操作ボタン配置順変更手順の一例を示すフロー図である。当該手順は、ユーザ認証がなされた後、ディスプレイ２０１に操作ボタン順序変更対象画面（ここでは、ユーザメニューページ）が表示されたことをトリガとして開始する。当該手順が開始すると、複合機１００（例えば、操作認識部４０２）は、ユーザによる入力があるまで待機する（図５  ステップＳ５０１Ｎｏ）。なお、操作ボタン順序変更対象画面は、操作パネル２００に対するユーザの操作によりディスプレイ２０１に表示される構成であってもよいが、ここでは、認証処理直後に操作ボタン順序変更対象画面（ユーザメニューページ）がディスプレイ２０１に表示される構成になっている。
【００４９】
図６は、複合機１００が表示するユーザメニューページの一例を示す図である。図６に示すように、ユーザメニューページ６０１は、操作ボタン配置領域６０２を備える。上述のように、本実施形態では、１ページ内に操作ボタンが８個配置される構成になっている。図６では、操作ボタンが配置される位置を破線で示している。操作ボタンが配置されるそれぞれの位置には、位置を示す情報（位置ＩＤ）が付与されている。ここでは、図６の矩形内に示しているように、位置ＩＤとして「位置１」、「位置２」、・・・「位置８」を例示している。
【００５０】
また、図７は、配置順保持部４０１が保持しているボタン配置順テーブルの一例を示す図であり、図８は、当該に対応するユーザメニューページを示す図である。図７に示すように、ボタン配置順テーブル７０１は、位置ＩＤと当該位置に割り当てられる機能を示す情報とを対応づけて記録している。なお、機能としては、４ｉｎ１等のレイアウトやステープル等の後処理の処理条件を設定したコピー機能や印刷機能、複数の送信先を登録したＦＡＸ送信機能やファイル送信機能等、複合機１００において実行可能な任意の機能を登録することができる。ここでは、説明のため、登録されている機能を、単に、「機能１」、「機能２」、・・・と表現する。なお、同一の機能を異なる操作ボタンに登録することも構成上は可能であるが、ここでは、登録されている各機能の内容は互いに異なっているものとする。
【００５１】
図７は、７個の操作ボタンが登録されている例であり、位置ＩＤ「位置１」〜「位置７」に、機能「機能１」〜「機能７」がそれぞれ対応づけられている。この場合、図８に示すように、図６に示す矩形「位置１」〜「位置７」に「機能１」〜「機能７」に対応する操作ボタンがそれぞれ配置されている。
【００５２】
当該状態において、操作ボタンの配置順の変更を希望するユーザは、判定部４０３に予め登録されている動作条件に一致する図形等を入力する。図９は、判定部４０３が保持している順序変更テーブルの一例を示す図である。図９に示すように、順序変更テーブル９０１は、動作条件である図形等と、順序変更方法とを対応づけて記録している。図９の例では、動作条件「丸」と「先頭に移動」、動作条件「チェック印」と「最後尾に移動」、動作条件「四角」と「位置固定」、動作条件「三角」と「位置固定解除」がそれぞれ対応づけられている。なお、動作条件は、形状のみであってもよいが、例えば、「右回りの丸」と「左回りの丸」のように描画方向が異なる図形等を異なる動作条件として登録することもできる。
【００５３】
例えば、図１０に示すように、ユーザが、図８に示すユーザメニューページにおいて、ディスプレイ２０１の操作ボタン「機能６」上で押圧状態を維持したまま「丸」を描いたとする（図５  ステップＳ５０１Ｙｅｓ）。
【００５４】
この場合、押圧位置変動情報認識部４１１は押圧始点を始点とした押圧位置の変動情報（ここでは、「丸」）を認識する（図５  ステップＳ５０２）。また、対象操作ボタン認識部４１２は、押圧位置変動情報認識部４１１が認識した「丸」のディスプレイ２０１上における座標と、ディスプレイ２０１の表示面に表示されている操作ボタンのディスプレイ２０１上における座標とに基づいて操作ボタン（ここでは、操作ボタン「機能６」）を特定する（図５  ステップＳ５０３）。
【００５５】
操作認識部４０２は、押圧位置変動情報認識部４１１および対象操作ボタン認識部４１２が認識した入力内容（変動情報および操作ボタン情報）を判定部４０３に入力する。なお、操作認識部４０２は、例えば、１箇所の押圧等、押圧位置変動情報認識部４１１が変動情報を認識できない入力がなされた場合、認識した入力内容を動作制御部４０７に入力する。すなわち、操作認識部４０２は、配置順変更のための操作と確認できない操作の内容は動作制御部４０７に入力する。
【００５６】
変動情報および操作ボタン情報が入力された判定部４０３は、入力された変動情報が予め登録されている動作条件と一致するか否かを判定する（図５  ステップＳ５０４）。この例では変動情報として「丸」が入力されており、順序変更テーブル９０１の動作条件にも「丸」が登録されている。そのため、判定部４０３は一致すると判定する（図５  ステップＳ５０４Ｙｅｓ）。このとき、判定部４０３は、入力された変動情報と一致する動作条件に対応づけられた順序変更方法（ここでは、「先頭へ移動」）を、入力された操作ボタン情報（ここでは、操作ボタン「機能６」）とともに配置順変更部４０４に入力する。なお、ステップＳ５０４の判定において、判定部４０３が一致しないと判定した場合、判定部４０３は特に何もすることなく、次の入力があるまで待機する（図５  ステップＳ５０４Ｎｏ、Ｓ５０１）。
【００５７】
操作ボタン情報および順序変更方法が入力された配置順変更部４０４は、入力された情報にしたがって配置順保持部４０１に保持された配置順情報を変更する（図５  ステップＳ５０５）。この例では、配置順変更部４０４は、ボタン配置順テーブル７０１を、操作ボタン「機能６」を先頭に移動させた状態に変更する。図１１は、配置順変更部４０４により変更されたボタン配置順テーブル７０１を示す図である。図１１に示すように、操作ボタン「機能６」が位置ＩＤ「位置１」に移動され、当該移動に伴って、他の操作ボタン（「機能１」〜「機能５」）が位置ＩＤ「位置２」〜「位置６」に移動される。
【００５８】
特に限定されないが、本実施形態では、このとき、表示制御部４０５が変更されたボタン配置順テーブル７０１に基づいてユーザメニューページ６０１を表示する。図１２は、当該ユーザメニューページを示す図である。図１２に示すように、ユーザメニューページ６０１の各操作ボタンは、図１１に示すボタン配置順テーブル７０１にしたがった配置になっている。また、このユーザメニューページ６０１では、ボタン配置順テーブル７０１の変更を認識した表示制御部４０５がユーザメニューページ６０１中に「ＯＫ」ボタン１２０１と「キャンセル」ボタン１２０２を表示する。当該状態で「ＯＫ」ボタン１２０１が選択されると、上述の変更されたボタン配置順テーブル７０１が確定される。一方、「キャンセル」ボタン１２０２が選択されると、上述の順序変更がキャンセルされ、変更前のボタン配置順テーブル７０１（図７参照）に戻される。
【００５９】
このように、複合機１００では、ユーザがディスプレイ２０１の表示面に対して押圧状態で押圧位置を変動させるという非常に簡単な操作により、ディスプレイ２０１の表示面に表示される操作ボタンの表示位置を好みに応じて変更することができる。
【００６０】
ここで、「先頭へ移動」以外の配置順変更について簡単に説明する。
【００６１】
図１１に示すように、ユーザが、図８に示すユーザメニューページにおいて、ディスプレイ２０１の操作ボタン「機能２」上で押圧状態を維持したまま「チェック印」を描いたとする。この場合、押圧位置変動情報認識部４１１は変動情報として「チェック印」を認識するとともに、対象操作ボタン認識部４１２は操作ボタン「機能２」を特定する。
【００６２】
判定部４０３は、入力された変動情報「チェック印」と一致する動作条件に対応づけられた順序変更方法「最後尾へ移動」を、入力された操作ボタン情報「機能２」とともに配置順変更部４０４に入力する。
【００６３】
配置順変更部４０４は、ボタン配置順テーブル７０１を、操作ボタン「機能２」を最後尾に移動させた状態に変更する。これにより、操作ボタン「機能２」が位置ＩＤ「位置７」に移動され、当該移動に伴って、他の操作ボタン（「機能３」〜「機能７」）が位置ＩＤ「位置２」〜「位置６」に移動される。
【００６４】
このとき、表示制御部４０５が変更されたボタン配置順テーブル７０１に基づいてユーザメニューページ６０１を表示する。図１４に示すように、ユーザメニューページ６０１の各操作ボタンは、変更されたボタン配置順テーブル７０１にしたがった配置になる。上述のように、当該状態で「ＯＫ」ボタン１２０１が選択されると、変更されたボタン配置順テーブル７０１が確定される。
【００６５】
次いで、ユーザメニューページが複数ページである事例について説明する。図１５は、ユーザメニューページが複数ページである場合のボタン配置順テーブルを示す図である。図１５に示すように、ボタン配置順テーブル１５０１は、ユーザメニューページの各ページについて位置ＩＤと当該位置に割り当てられる機能を示す情報とを対応づけて記録している。図１５の例では、１５個の操作ボタンが登録されている。１ページ目の位置ＩＤ「位置１」〜「位置８」に、機能「機能１」〜「機能８」がそれぞれ対応づけられており、２ページ目の位置ＩＤ「位置１」〜「位置８」に、機能「機能９」〜「機能１５」がそれぞれ対応づけられている。
【００６６】
図１６は、ボタン配置順テーブル１５０１にしたがって表示されるユーザメニューページを示す図である。図１６（ａ）が１ページ目に対応し、図１６（ｂ）が２ページ目に対応する。図１６（ａ）に示すように、１ページ目のユーザメニューページ１６１１の「位置１」〜「位置８」に「機能１」〜「機能８」に対応する操作ボタンがそれぞれ配置されている。また、図１６（ｂ）に示すように、２ページ目のユーザメニューページ１６１２の「位置１」〜「位置７」に「機能９」〜「機能１５」に対応する操作ボタンがそれぞれ配置されている。なお、図１６（ａ）に示すように、１ページ目のユーザメニューページ１６１１には、２ページ目のユーザメニューページ１６１２を表示するために選択される「次頁」ボタン１６０１が配置されている。また、図１６（ｂ）に示すように、２ページ目のユーザメニューページ１６１２には、１ページ目のユーザメニューページ１６１１を表示するために選択される「前頁」ボタン１６０２が配置されている。
【００６７】
この例において、図１７に示すように、ユーザが１ページ目のユーザメニューページ１６１１の操作ボタン「機能２」上で押圧状態を維持したまま「チェック印」を描いたとする。この場合、押圧位置変動情報認識部４１１は変動情報として「チェック印」を認識するとともに、対象操作ボタン認識部４１２は操作ボタン「機能２」を特定する。
【００６８】
判定部４０３は、入力された変動情報「チェック印」と一致する動作条件に対応づけられた順序変更方法「最後尾へ移動」を、入力された操作ボタン情報「機能２」とともに配置順変更部４０４に入力する。
【００６９】
配置順変更部４０４は、ボタン配置順テーブル１５０１を、操作ボタン「機能２」を最後尾に移動させた状態に変更する。この例では、最後尾は、２ページ目の位置ＩＤ「位置７」である。すなわち、当該移動に伴って、他の操作ボタン（「機能３」〜「機能１５」）を移動させる場合、２ページ目から１ページ目に操作ボタンを１つ移動させる必要がある。２ページ目の先頭にある操作ボタンを１ページ目に移動させることも可能であるが、本実施形態では、このように、対象操作ボタン認識部４１２（操作認識部４０２）により認識された操作ボタン以外に他のページに操作ボタンを移動させる必要があるときに、当該他のページに移動させる操作ボタンの選択をユーザに要求する。すなわち、配置順変更部４０４は、図１８に示すように、２ページ目の操作ボタン「機能９」〜「機能１５」の中から、１ページ目に移動させる操作ボタンを選択するための選択画面１８０１をディスプレイ２０１に表示する。なお、図１８の例では、ユーザにより、１ページ目に移動させる操作ボタンとして「機能１２」が選択されている状態を示している。
【００７０】
この場合、配置順変更部４０４は、ボタン配置順テーブル１５０１を、操作ボタン「機能２」を最後尾に移動させた状態に変更するとともに、２ページ目の「機能１２」を１ページ目の末尾に移動させた状態に変更する。これにより、図１９に示すように、操作ボタン「機能２」が２ページ目の位置ＩＤ「位置７」に移動されるとともに、操作ボタン「機能１２」が１ページ目の位置ＩＤ「位置８」に移動される。また、当該移動に伴って、１ページ目の他の操作ボタン（「機能３」〜「機能８」）が位置ＩＤ「位置２」〜「位置７」に移動されるとともに、２ページ目の他の操作ボタン（「機能１３」〜「機能１５」）が位置ＩＤ「位置４」〜「位置６」に移動される。
【００７１】
このとき、表示制御部４０５が変更されたボタン配置順テーブル１５０１に基づいてユーザメニューページ１６１１、１６１２を表示する。図２０（ａ）、図２０（ｂ）に示すように、ユーザメニューページ１６１１、１６１２の各操作ボタンは、変更されたボタン配置順テーブル１５０１にしたがった配置になる。上述のように、当該状態で「ＯＫ」ボタン１２０１が選択されると、変更されたボタン配置順テーブル１５０１が確定される。
【００７２】
続いて、ユーザが移動を希望しない操作ボタンの固定について説明する。図２１に示すように、ユーザが、図８に示すユーザメニューページにおいて、ディスプレイ２０１の操作ボタン「機能４」上で押圧状態を維持したまま「四角」を描いたとする。この場合、押圧位置変動情報認識部４１１は変動情報として「四角」を認識するとともに、対象操作ボタン認識部４１２は操作ボタン「機能４」を特定する。
【００７３】
判定部４０３は、入力された変動情報「四角」と一致する動作条件に対応づけられた順序変更方法「位置固定」を、入力された操作ボタン情報「機能４」とともに配置順変更部４０４に入力する。配置順変更部４０４は、ボタン配置順テーブル７０１において、操作ボタン「機能４」を固定状態にする。このとき、ユーザメニューページ６０１では、図２２に示すように、操作ボタン「機能４」が固定状態にあることを示す位置固定マーク２２０１が表示される。当該状態で「ＯＫ」ボタン１２０１が選択されると、操作ボタン「機能４」の固定が確定される。
【００７４】
当該状態で、図２３に示すように、ユーザが、ディスプレイ２０１の操作ボタン「機能２」上で押圧状態を維持したまま「チェック印」を描いたとする。この場合、押圧位置変動情報認識部４１１は変動情報として「チェック印」を認識するとともに、対象操作ボタン認識部４１２は操作ボタン「機能２」を特定する。
【００７５】
判定部４０３は、入力された変動情報「チェック印」と一致する動作条件に対応づけられた順序変更方法「最後尾へ移動」を、入力された操作ボタン情報「機能２」とともに配置順変更部４０４に入力する。
【００７６】
配置順変更部４０４は、ボタン配置順テーブル７０１を、操作ボタン「機能２」を最後尾に移動させた状態に変更する。このとき、図２４に示すように、操作ボタン「機能２」が位置ＩＤ「位置７」に移動され、当該移動に伴って他の操作ボタンも移動される。しかしながら、操作ボタン「機能４」が固定状態にあるため、「機能３」と「機能５」が位置ＩＤ「位置２」〜「位置３」に移動され、「機能６」〜「機能７」が位置ＩＤ「位置５」〜「位置６」に移動される。
【００７７】
このとき、表示制御部４０５が変更されたボタン配置順テーブル７０１に基づいてユーザメニューページ６０１を表示する。図２５に示すように、ユーザメニューページ６０１の各操作ボタンは、変更されたボタン配置順テーブル７０１にしたがった配置になる。上述のように、当該状態で「ＯＫ」ボタン１２０１が選択されると、変更されたボタン配置順テーブル７０１が確定される。
【００７８】
なお、上述のようにして固定された操作ボタンの固定解除をユーザが希望する場合、本実施形態では、ユーザは、位置固定マーク２２０１が表示された操作ボタン上で押圧状態を維持したまま「三角」を描けばよい。例えば、図２５に示す状態で「ＯＫ」ボタン１２０１が選択された後のユーザメニューページ６０１において操作ボタン「機能４」の位置固定解除をする場合、図２６に示すように、ユーザは操作ボタン「機能４」上で押圧状態を維持したまま「三角」を描く。これにより、押圧位置変動情報認識部４１１は変動情報として「三角」を認識するとともに、対象操作ボタン認識部４１２は操作ボタン「機能４」を特定する。そして、判定部４０３は、入力された変動情報「三角」と一致する動作条件に対応づけられた順序変更方法「位置固定解除」を、入力された操作ボタン情報「機能４」とともに配置順変更部４０４に入力する。配置順変更部４０４は、ボタン配置順テーブル７０１において、操作ボタン「機能４」の固定状態を解除する。このとき、ユーザメニューページ６０１では、操作ボタン「機能４」上の位置固定マーク２２０１が消滅する。
【００７９】
以上説明したように、この複合機１００では、ユーザがディスプレイ２０１の表示面に対して押圧状態で押圧位置を変動させる操作という非常に簡単な操作により、ディスプレイ２０１の表示面に表示される操作ボタンの表示位置を好みに応じて変更することができる。
【００８０】
また、複合機１００では、選択画面１８０１を表示する構成であるため、指定した操作ボタンの移動により、他の操作ボタンを他のページへ移動させる必要性が生じたときに、ユーザは当該他の操作ボタンも好みに応じて移動させることができる。
【００８１】
さらに、操作ボタンの固定も可能であるため、指定した操作ボタンの移動に応じて、ユーザが移動を望まない操作ボタンが移動することを防止できる。
【００８２】
なお、上述した実施形態は本発明の技術的範囲を制限するものではなく、既に記載したもの以外でも、本発明の範囲内で種々の変形や応用が可能である。例えば、上記実施形態では、操作ボタンを先頭や最後尾に移動する構成としたが、任意のページの先頭や、任意のページの最後尾に移動する構成であってもよい。また、上記では、「ＯＫ」ボタンを選択することで配置順変更が確定される構成としたが、このような確認を経ることなくそのまま配置順変更が確定される構成であってもよい。また、上記では、特に好ましい形態として認証部４０６を備える構成を説明したが、認証部４０６は本発明に必須の構成要素ではない。例えば、ユーザメニューページをユーザごとに設けることができる構成であれば同様の効果を得ることができる。
【００８３】
また、図５に示すフローチャートは、等価な作用を奏する範囲において、各ステップの順序を適宜変更可能である。例えば、入力された変動情報が動作条件と一致したときに、対象操作ボタンを特定する構成であってもよい。
【００８４】
加えて、上述の実施形態では、デジタル複合機として本発明を具体化したが、デジタル複合機に限らず、プリンタ、複写機等の任意の画像形成装置をはじめとする任意の電子機器に本発明を適用することも可能である。さらには、任意の操作装置に本発明を適用することも可能である。
【産業上の利用可能性】
【００８５】
本発明によれば、タッチパネルの表示面に表示される操作ボタンの表示位置をユーザが好みに応じて容易に変更することができ、操作装置および電子機器として有用である。
【符号の説明】
【００８６】
１００  複合機
２００  操作パネル
２０１  ディスプレイ（タッチパネル）
４０１  配置順保持部
４０２  操作認識部
４０３  判定部
４０４  配置順変更部
４１１  押圧位置変動情報認識部
４１２  対象操作ボタン認識部
１８０１  選択画面
２２０１  位置固定マーク
【図１】
2014048676.tif 000003
【図２】
2014048676.tif 000004
【図３】
2014048676.tif 000005
【図４】
2014048676.tif 000006
【図５】
2014048676.tif 000007
【図６】
2014048676.tif 000008
【図７】
2014048676.tif 000009
【図８】
2014048676.tif 000010
【図９】
2014048676.tif 000011
【図１０】
2014048676.tif 000012
【図１１】
2014048676.tif 000013
【図１２】
2014048676.tif 000014
【図１３】
2014048676.tif 000015
【図１４】
2014048676.tif 000016
【図１５】
2014048676.tif 000017
【図１６】
2014048676.tif 000018
【図１７】
2014048676.tif 000019
【図１８】
2014048676.tif 000020
【図１９】
2014048676.tif 000021
【図２０】
2014048676.tif 000022
【図２１】
2014048676.tif 000023
【図２２】
2014048676.tif 000024
【図２３】
2014048676.tif 000025
【図２４】
2014048676.tif 000026
【図２５】
2014048676.tif 000027
【図２６】
2014048676.tif 000028